(57)【要約】【課題】  迅速なフォーカス位置の調整と、数多くのスポットライトのフォーカス位置調整に要する時間を短縮し、スポットライトのフォーカス微調整を可能にした照明器具を提供する。【解決手段】  スクリューシャフト２２に対し移動台１６を、スクリューシャフト２２に相対回転可能にかつスライド可能に嵌合されたスライド部材２６を介して支持し、底部材１２２の側壁１２２ａからスクリューシャフト２２と直角な方向に延在して配設された案内部材４０にガイドピン２８を移動可能に支持する。ガイドピン２８をスクリューシャフト２２のスクリュー溝２２１に係脱可能に係合し、ガイドピン２８をコイルばね３０によってスクリュー溝２２１に係合させる方向に付勢する。操作ハンドル３２でガイドピン２８をスクリュー溝２２１から離脱可能に操作し、ガイドピン２８をスクリュー溝２２１から離脱した状態で移動台１２を集光レンズ１４の光軸方向に移動させる構成にした。【選択図】  図３
2010182452.tif 000002
【特許請求の範囲】
【請求項１】
器具本体と、
前記器具本体の前面開口部に設けられた集光レンズと、
前記器具本体内に前記集光レンズの光軸と平行する方向に移動可能に設けられた移動台と、
前記移動台上に前記集光レンズと対向して設けられた電球及び反射鏡と、
前記器具本体内に前記移動台の移動方向に延在して配置され前記器具本体に回転可能に支持されたスクリューシャフトと、
前記スクリューシャフトの外周に該スクリューシャフトの長手方向に沿って螺旋状に形成されたスクリュー溝と、
前記スクリューシャフトの一端に設けられ該スクリューシャフトを回転するフォーカス微調整用のフォーカスハンドルと、
前記移動台に固定され前記スクリューシャフトに対して該スクリューシャフトの長手方向にスライド可能にかつ前記スクリューシャフトに対して相対回転可能に設けられたスライド部材と、
前記移動台に前記スクリューシャフトに対し接近及び離間する方向に移動可能に設けられ、かつ前記スライド部材を貫通して前記スクリュー溝に係脱されるガイドピンと、
前記ガイドピンを前記スクリュー溝に係合する方向に付勢する付勢部材と、
前記ガイドピンに連結され該ガイドピンを前記スクリュー溝から離脱する方向に操作するとともに該ガイドピンがスクリュー溝から離脱した状態で前記スライド部材を含む前記移動台を前記集光レンズの光軸方向に移動させる操作ハンドルと、
を備えることを特徴とする照明器具。
【請求項２】
前記ガイドピンを前記スクリューシャフトに対して接近及び離間する方向に移動可能に支持する案内部材を有し、前記案内部材は前記器具本体の側方から前記スクリューシャフトと直角な方向に延在して前記移動台に設置され、前記案内部材から前記器具本体の側方に突出する前記ガイドピンの突出端に前記操作ハンドルが連結され、前記操作ハンドルは前記器具本体の側壁に形成した長穴を貫通して前記器具本体外へ突出されていることを特徴とする請求項１記載の照明器具。
【請求項３】
前記長穴からの光の漏れを防止する遮光機構を前記器具本体に設けたことを特徴とする請求項２記載の照明器具。
【請求項４】
前記遮光機構は、前記案内部材の突出端が貫通されるとともに該案内部材を含めた前記操作ハンドルの光軸方向への移動に連動してスライドされる複数の遮光板を重ね合わせることで構成されることを特徴とする請求項３記載の照明器具。
【請求項５】
前記案内部材が突出する前記器具本体の外側壁面にスポットライトの投光面径を調整した時のフォーカス位置を表示するフォーカス位置表示部が設けられていることを特徴とする請求項２乃至４の何れか１項記載の照明器具。
【請求項６】
前記フォーカス位置表示部は、前記器具本体の外側壁面に前記操作ハンドルの移動方向に沿って形成された目盛から構成され、前記操作ハンドルと対向する目盛の位置が前記スポットライトのフォーカス位置を表示するように構成されていることを特徴とする請求項５記載の照明器具。
【発明の詳細な説明】
【技術分野】
【０００１】
本発明は、舞台、ＴＶスタジオ、ホール、宴会場、結婚式場などで使用されるスポットライト型の照明器具に関する。
【背景技術】
【０００２】
従来から舞台、ＴＶスタジオ、ホールなどで使用されているスポットライト型の照明器具は、本体の投光開口部に設けられた平凸レンズまたはフレネルレンズと、本体内に平凸レンズまたはフレネルレンズの光軸方向に移動可能に設けられた支持台と、支持台上に平凸レンズまたはフレネルレンズに対向して設けられたランプ及び反射鏡と、支持台をレンズの光軸方向に移動可能に案内するガイドロッドと、支持台をレンズの光軸方向に移動させるスクリュー軸と、スクリュー軸を回転操作する握り式のハンドルとを備え、支持台に設けたピンをスクリュー軸のスクリュー溝にスライド可能に係合し、ランプを点灯した状態でハンドルを回転操作することにより、スクリュー軸の回転運動を支持台の光軸方向への直線運動に変換して支持台に伝達し、この支持台をレンズの光軸方向に移動することで、スポットライトの投光面径の大きさを調整するようになっている（例えば、特許文献１参照）。
【０００３】
このような照明器具では、スクリュー軸をハンドルにより回転して、ランプ及び反射鏡を支持台ごとレンズの光軸に沿い前後方向に移動させることにより、平凸レンズまたはフレネルレンズとの光学系で、投光面の径の大きさを調整することが可能になる。
【０００４】
また、ランプ及び反射鏡を支持台ごとレンズの光軸方向に移動して、投光面の径の大きさを調整できるようにした照明器具としては、特許文献２に示す方式のものが知られている。
【０００５】
これは、スクリュー軸を回転操作するフォーカスつまみに、取付部を介して着脱可能に取着されるクランクハンドルを設け、このクランクハンドルの取付部をフォーカスつまみに取着してクランクハンドルを回転することで、フォーカスつまみを回転させるようにしたものである。
【０００６】
このような方式の照明器具では、投光面の径の大きさを調整する時のフォーカス操作の作業性を向上できるという特徴を有する。
【０００７】
また、従来、フォーカス操作の作業性を向上させるための照明器具としては、特許文献３に示す方式のものが知られている。
【０００８】
特許文献３に示す照明器具は、光軸方向の距離を調整するために移動台を移動させる操作レバーを設け、スクリューシャフトに形成されているスクリュー溝の角度により、スライド台の光軸方向移動に抵抗負荷を与えて、移動台を操作レバーの操作により設定した位置に保持できるように設定する。これにより、フォーカス操作時の作業性の向上を図るようにしている。
【先行技術文献】
【特許文献】
【０００９】
【特許文献１】特開平１１−２５７１３号公報
【特許文献２】特開２００５−３３２６２４号公報
【特許文献３】特開２００６−１２５９８号公報
【発明の概要】
【発明が解決しようとする課題】
【００１０】
ところで、特許文献１に示すような照明器具では、投光面径を最大から最小に、またはその逆に調整する場合、ランプ及び反射鏡を光軸に沿い前後方向に移動させる距離が長くなり、その結果、握り式のハンドルを握りなおしながら、例えば９０°程度ずつ回転させつつ、ハンドルを何回転も回転させなければならない。そのため、舞台公演などのように数多くのスポットライトを使用する場合には、これらスポットライトの投光面径の大きさを調整するのに要する作業時間が長くなるという問題がある。しかも、投光面径の調整を行う操作者からすると、握り式のハンドルを回転するだけでは、実際にランプ及び反射鏡の光軸方向の位置が照明器具本体内のどこに位置しているのか識別しにくいという問題もあった。
【００１１】
一方、特許文献２に示すような照明器具におけるクランクハンドル方式では、特許文献１に示す照明器具の場合に比較して、ハンドルに対する握り頻度が大幅に低減され、投光面の径の大きさを調整する時のフォーカス操作が簡便になる。
【００１２】
しかしながら、スポットライトの投光面径を最大から最小に、またはその逆に調整する場合のクランクハンドルの回転数は特許文献１に示す場合と同様であり、数多くのスポットライトの投光面径を調整するのに多くの時間を要し、フォーカス調整作業の作業性は何ら改善されていないとともに、照明器具のフォーカス調整時にはクランクハンドルを携帯していなければならないという煩わしさがあり、さらに、特許文献１に示す場合と同様にランプ及び反射鏡の光軸方向の位置が照明器具本体内のどこに位置しているのか識別しにくいという問題もあった。
【００１３】
このため、数多くのスポットライトが使用される舞台公演などで、これらスポットライトのフォーカス調整をする場合は、まず、投光面径の大きさを最大または最小に設定しておき、この状態から、任意１つのポットライトに対して、その投光面径が希望する大きさになるまでのフォーカスハンドルの回転数を操作者が記憶しておく。しかる後、上記任意１つのスポットライト以外の他のスポットライトを上記記憶した回転数で一旦調整し、その後微調整をするといった調整方法が採られていることが多い。これは、操作者が回転数を覚えていなければならないという問題がある。
【００１４】
また、フォーカス操作の作業性を向上させるために、特許文献３に示すように、スクリューシャフトのスクリュー溝の角度がスライド台の光軸方向の移動に抵抗負荷を与えることで、スライド台を操作レバーの操作により設定された位置に保持するようにしている。
【００１５】
しかしながら、このような方式の照明器具では、操作レバーの長さとスクリューシャフトのスクリュー溝ピッチの関係で操作レバーにかかる抵抗負荷が変わってくるという問題がある。
【００１６】
また、本体ハウジングに支点を介してスライド台の移動方向に揺動可能に設けられた操作レバーの中間部に操作レバーの長手方向に延在する長穴を設け、この長穴にスライド台から突出するピンを係合する構成になっているため、操作レバーにおいて、その長穴とピンとの係合位置から操作レバーの支点と反対の操作端までの長さがスライド台の光軸方向への移動位置により異なってくる。その結果、操作レバーに生じるテコの作用によりスライド台の移動位置によって操作レバーの操作性が異なってくるという不具合がある。
【００１７】
さらに、特許文献３に示す照明器具では、操作レバーの操作端を本体ハウジングの側面から外方へ突出させるためのスリットが本体ハウジングの側壁に形成されているため、このスリットからランプの光が外部に漏れてしまうという問題がある。
【００１８】
また、従来の照明器具には、フォーカスロッドを器具本体の後方から引っ張る方式のフォーカス調整機構を備えたものも存在している。
【００１９】
この方式は、ランプ及び反射鏡をフォーカスシャフトと一体化した単純な構造であり、この方法でフォーカス調整すると、照明器具本体の後部に突出したフォーカスシャフトの長さでランプ及び反射鏡の大まかな位置の見分けが可能であるが、フォーカスシャフトがフォーカスの移動距離分だけ、器具本体の後部から突出してしまい、他のスポットライトなどと干渉したり、シーリング室などの場合、操作者等の通路の妨げになるなど問題がある。さらに、この方法では、スクリュー方式のフォーカスシャフトのように微細なフォーカス調整ができないため、スクリュー式フォーカス機構を備えた照明器具が採用されているのが現状である。
【００２０】
本発明は、上記のような事情に鑑みなされたもので、迅速なフォーカス位置の調整を可能にするとともに、数多くのスポットライトのフォーカス位置調整に要する時間を短縮でき、かつスポットライトのフォーカス微調整を可能にし、併せてスポットライトの元のフォーカス位置を容易に把握できる照明器具を提供することを目的とする。
【課題を解決するための手段】
【００２１】
上記目的を達成するために本発明の照明器具は、器具本体と、前記器具本体の前面開口部に設けられた集光レンズと、前記器具本体内に前記集光レンズの光軸と平行する方向に移動可能に設けられた移動台と、前記移動台上に前記集光レンズと対向して設けられた電球及び反射鏡と、前記器具本体内に前記移動台の移動方向に延在して配置され前記器具本体に回転可能に支持されたスクリューシャフトと、前記スクリューシャフトの外周に該スクリューシャフトの長手方向に沿って螺旋状に形成されたスクリュー溝と、前記スクリューシャフトの一端に設けられ該スクリューシャフトを回転するフォーカス微調整用のフォーカスハンドルと、前記移動台に固定され前記スクリューシャフトに対して該スクリューシャフトの長手方向にスライド可能にかつ前記スクリューシャフトに対して相対回転可能に設けられたスライド部材と、前記移動台に前記スクリューシャフトに対し接近及び離間する方向に移動可能に設けられ、かつ前記スライド部材を貫通して前記スクリュー溝に係脱されるガイドピンと、前記ガイドピンを前記スクリュー溝に係合する方向に付勢する付勢部材と、前記ガイドピンに連結され該ガイドピンを前記スクリュー溝から離脱する方向に操作するとともに該ガイドピンがスクリュー溝から離脱した状態で前記スライド部材を含む前記移動台を前記集光レンズの光軸方向に移動させる操作ハンドルとを備えることを特徴とする。
【００２２】
請求項２の発明は、請求項１記載の照明器具において、前記ガイドピンを前記スクリューシャフトに対して接近及び離間する方向に移動可能に支持する案内部材を有し、前記案内部材は前記器具本体の側方から前記スクリューシャフトと直角な方向に延在して前記移動台に設置され、前記案内部材から前記器具本体の側方に突出する前記ガイドピンの突出端に前記操作ハンドルが連結され、前記操作ハンドルは前記器具本体の側壁に形成した長穴を貫通して前記器具本体外へ突出されていることを特徴とする。
【００２３】
請求項３の発明は、請求項２記載の照明器具において、前記長穴からの光の漏れを防止する遮光機構を前記器具本体に設けたことを特徴とする。
【００２４】
請求項４の発明は、請求項３記載の照明器具において、前記遮光機構は、前記案内部材の突出端が貫通されるとともに該案内部材を含めた前記操作ハンドルの光軸方向への移動に連動してスライドされる複数の遮光板を重ね合わせることで構成されることを特徴とする。
【００２５】
請求項５の発明は、請求項２乃至４の何れか１項記載の照明器具において、前記案内部材が突出する前記器具本体の外側壁面にスポットライトの投光面径を調整した時のフォーカス位置を表示するフォーカス位置表示部が設けられていることを特徴とする。
【００２６】
請求項６の発明は、請求項５記載の照明器具において、前記フォーカス位置表示部は、前記器具本体の外側壁面に前記操作ハンドルの移動方向に沿って形成された目盛から構成され、前記操作ハンドルと対向する目盛の位置が前記スポットライトのフォーカス位置を表示するように構成されていることを特徴とする。
【発明の効果】
【００２７】
本発明の照明器具においては、迅速なフォーカス調整を可能にするとともに、数多くのスポットライトのフォーカス調整に要する時間を短縮でき、かつスポットライトのフォーカス微調整が可能になる。
【００２８】
また、本発明においては、電球交換などにおけるスポットのフォーカス位置を容易に把握することができる。
【図面の簡単な説明】
【００２９】
【図１】本発明にかかる照明器具の一部を切り欠いて示す側面図である。
【図２】本発明にかかる照明器具の電球・反射鏡用スライド及びフォーカス調整部等を含めた内部構成を示す分解斜視図である。
【図３】図２の３―３線に沿う拡大断面図である。
【図４】本発明にかかる照明器具の電球・反射鏡用スライド、フォーカス調整部及び遮光機構等を含めた内部構成を示す分解斜視図である。
【図５】本発明にかかる照明器具の移動台とスライド部材、ガイドピンなどとの配置関係を示す分解斜視図である。
【発明を実施するための形態】
【００３０】
次に、本発明にかかる照明器具の実施の形態について、図１乃至図５を参照して説明する。なお、本発明の照明器具は、以下に説明する実施の形態に限定されるものではない。
【００３１】
本実施の形態に示す照明器具１００は、図１及び図２に示すように、器具本体１２、集光レンズ１４、移動台１６、電球１８及び反射鏡２０、スクリューシャフト２２、フォーカスハンドル２４、スライド部材２６、ガイドピン２８、付勢部材３０、操作ハンドル３２、遮光機構３４、フォーカス位置表示部３６などを含んで構成される。
【００３２】
器具本体１２は、図１に示すように、全体形状が前後方向に長尺な筒状を呈しており、この器具本体１２の前面は開口され、器具本体１２の後面は放熱開口１２１ａを有する裏蓋１２１により覆われている。また、器具本体１２の底部分は、図１及び図２に示すように、トレイ状に加工された底部材１２２により覆われている。
【００３３】
このような器具本体１２の前面開口部には、図１に示すように、凸レンズまたはフレネルレンズなどからなる集光レンズ１４が設けられている。
【００３４】
移動台１６は、器具本体１２内に電球１８及び反射鏡２０を集光レンズ１４の光軸と平行する方向に移動可能に支持するものであり、この移動台１６上には、ソケット１８ａを介して電球１８が装着され、さらに、支持部材２０ａを介して反射鏡２０が装着されている。
【００３５】
また、移動台１６は、図１〜図４に示すように、底部材１２２内に集光レンズ１４の光軸と平行する方向に延在して配置された１本の案内ロット１５と、底部材１２２内に案内ロット１５と一定の間隔をおいて平行にかつ集光レンズ１４の光軸と平行する方向に延在して配置されたスクリューシャフト２２とによって集光レンズ１４の光軸と平行する方向に移動可能に支持されている。
【００３６】
上記案内ロット１５の両端は、図２及び図４に示すように、底部材１２２内の前部及び後部にそれぞれ設けた前ブラケット１２３と後ブラケット１２４とに差し渡し状態に横架固定され、この案内ロット１５に移動台１６の一端部が案内ロット１５の長手方向にスライド可能に支持されている。
【００３７】
上記スクリューシャフト２２の両端は、図２図及び４に示すように、前ブラケット１２３と後ブラケット１２４とに軸受１２５を介して回転可能に支持され、このスクリューシャフト２２に移動台１６の他端部が、クリューシャフト２２に対して相対回転可能に、かつスクリューシャフト２２の長手方向にスライド可能に嵌合された円筒状のスライド部材２６を介して支持されている。そして、スクリューシャフト２２の外周には、スクリューシャフト２２の回転に伴い移動台１６を集光レンズ１４の光軸方向に移動させるためのスクリュー溝２２１がスクリューシャフト２２の長手方向に沿って一定のピッチで螺旋状に形成されている。また、フォーカスハンドル２４はスポットライトのフォーカス微調整用のものであり、スクリューシャフト２２の一端に固着され、手動操作されるつまみ式の円筒形状を呈している。
【００３８】
ガイドピン２８は、スクリューシャフト２２の回転運動を直線運動に変換して移動台１６に伝達するためのものであり、このガイドピン２８は、図２〜図５に示すように、移動台１６の他端部に支持部材３８により器具本体１２の側方、すなわち底部材１２２の側壁１２２ａからスクリューシャフト２２と直角な方向に延在して配設された筒状の案内部材４０に、スクリューシャフト２２に対して接近及び離間する方向に移動可能に支持されている。
【００３９】
ガイドピン２８の一端２８ａは、スライド部材２６に設けた貫通穴２６１を貫通してスクリュー溝２２１に係脱可能に係合されている。そして、ガイドピン２８の一端２８ａ寄りに設けた鍔部２８１と案内部材４０内に設けた段部４０１との間には、付勢部材、すなわちコイルばね３０が介在され、このコイルばね３０によってガイドピン２８の一端２８ａをスクリュー溝２２１に係合させる方向に付勢するようになっている。
【００４０】
また、ガイドピン２８の一端２８ａと反対の他端部２８ｂは案内部材４０から底部材１２２の側壁１２２ａに形成した長穴１２２ｂを通して側壁１２２ａ外に突出され、この突出他端部２８ｂには、円柱状の操作ハンドル３２が固着されている。この操作ハンドル３２は、ガイドピン２８の一端２８ａをスクリュー溝２２１から離脱する方向に操作するとともにガイドピン２８がスクリュー溝２２１から離脱させた状態でスライド部材２６を含む移動台１２を集光レンズ１４の光軸方向に移動させるものである。
【００４１】
上記長穴１２２ｂは移動台１２の移動方向に延在して底部材１２２の側壁１２２ａに形成されている。なお、参照符号４２は、スライド部材２６及び支持部材３８を移動台１６の他端部に固定するための取付ネジである。
【００４２】
遮光機構３４は、長穴１２２ｂから電球１８の光の漏れるのを防止するためのもので、底部材１２２における側壁１２２ａの裏面に隣接して配設されている。
【００４３】
この遮光機構３４は、図２〜図４に示すように、長さの異なる複数、例えば５枚の遮光板３４ａ〜３４ｅを重ね合わせることで構成され、これら遮光板３４ａ〜３４ｅは底部材１２２における側壁１２２ａの裏面に設けた枠部材３４１によって移動台１２の移動方向にスライド可能に支持され、そして、これら遮光板３４ａ〜３４ｅは互いに密接されるように、支持部材３８の側面に設けた板ばね３４２によって側壁１２２ａの裏面に押圧されている。
【００４４】
上記遮光板３４ａ〜３４ｅを、より詳細に説明すると、遮光板３４ａ〜３４ｅは、支持部材３８側から底部材１２２の側壁１２２ａ側へ行くに従い長さが長くなるように短冊形状に形成され、これに対応して、各遮光板３４ａ〜３４ｅにそれぞれ形成された、案内部材４０の突出端４０１が貫通される穴３４ａ１〜３４ｅ１も、支持部材３８側から底部材１２２の側壁１２２ａ側へ行くに従い長さが長くなるように形成されている。これらの穴３４ａ１〜３４ｅ１は、遮光板３４ａ〜３４ｅの非開口部分と開口部分とが互いに重ね合わさることにより閉塞され、電球１８の光が長穴１２２ｂを通して外部へ漏れるのを防止する。
【００４５】
フォーカス位置表示部３６は、スポットライトの投光面径を調整した時のフォーカス位置を表示するもので、図２及び図４に示すように、案内部材４０の突出端４０１が突出する底部材１２２の側壁１２２ａの外表面に操作ハンドル３２の移動方向に沿って形成された目盛３６１から構成され、操作ハンドル３２と対向する目盛３６１の位置が前記スポットライトのフォーカス位置を表示するようになっている。
【００４６】
次に、本実施の形態に示す照明器具の動作について説明する。
舞台やＴＶスタジオの天井などに設置された照明器具１００の投光面径の大きさを調整（スポットライトのフォーカス調整）する場合は、まず、電球１８を点灯し、照明器具１００の投光開口を照明対象に向けた後、照明器具１００を位置決めする。この状態で、操作ハンドル３２をコイルばね３０のばね力に抗して図３の矢印Ａ方向に引っ張り、ガイドピン２８をスクリュー溝２２１から離脱させる。次に、このガイドピン２８の離脱状態を維持しながら、操作ハンドル３２を手動で図１の矢印Ｂ１またはＢ２方向に移動させる。これに伴い、ガイドピン２８、案内部材４０及び支持部材３８を介して連結された移動台１２も案内ロット１５及びスクリューシャフト２２に沿って操作ハンドル３２と同一の方向に移動される。これにより、移動台１２上の電球１８及び反射鏡２０も同一方向に移動されるため、照明対象に対する大まかなフォーカス調整を秒単位の時間で迅速に行うことが可能になる。
【００４７】
大まかなフォーカス調整が終了したならば、操作ハンドル３２に対する矢印Ａ方向の引っ張り力を解除する。これにより、ガイドピン２８はコイルばね３０によってスクリューシャフト２２に接近する方向に移動され、ガイドピン２８の一端２８ａをスクリューシャフト２２の外周に押圧させる。その後、フォーカスハンドル２４を右または左方向に回転することでスクリューシャフト２２が同一方向に回転され始めると、ガイドピン２８の一端２８ａがコイルばね３０のばね圧によってスクリューシャフト２２のスクリュー溝２２１に自動的に係合される。そして、フォーカスハンドル２４の右または左方向の回転操作に伴いスクリューシャフト２２が同一方向に回転されると、ガイドピン２８はスクリュー溝２２１でリードされながらスクリューシャフト２２に沿って前後方向（集光レンズ１４の光軸方向）に微移動されるため、移動台１２を含めた電球１８及び反射鏡２０も同一方向に微移動される。これにより、スポットライトのフォーカス位置を照明対象に適した状態に微調整することが可能になる。
【００４８】
なお、スポットライトのフォーカス位置を大まかに調整、または微調整した場合、操作ハンドル３２と対向する目盛３６１の位置がスポットライトのフォーカス位置を表示することになる。
【００４９】
また、遮光機構３４を構成する複数の遮光板３４ａ〜３４ｅは、操作ハンドル３２の光軸方向への移動に連動してスライドされる。
【００５０】
このような本実施の形態に示す照明器具においては、フォーカスハンドル２４を有するスクリューシャフト２２に対し移動台１６を、スクリューシャフト２２に相対回転可能にかつスクリューシャフト２２の長手方向にスライド可能に嵌合されたスライド部材２６を介して支持し、底部材１２２の側壁１２２ａからスクリューシャフト２２と直角な方向に延在して配設された案内部材４０にガイドピン２８をスクリューシャフト２２に対し接近及び離間する方向に移動可能に支持し、そして、ガイドピン２８をスクリューシャフト２２のスクリュー溝２２１に係脱可能に係合し、さらに、ガイドピン２８をコイルばね３０によってスクリュー溝２２１に係合させる方向に付勢し、案内部材４０から底部材１２２の側壁１２２ａに形成した長穴１２２ｂを通して外方へ突出されるガイドピン２８の突出端に操作ハンドル３２を固着し、この操作ハンドル３２でガイドピン２８をスクリュー溝２２１から離脱する方向に操作するとともにガイドピン２８がスクリュー溝２２１から離脱させた状態で移動台１２を集光レンズ１４の光軸方向に移動させる構成にしたので、操作ハンドル３２を用いて、移動台１２を含む電球１８及び反射鏡２０のフォーカス位置を容易かつ簡便に移動させることができ、照明対象に対するフォーカス調整を秒単位の時間で迅速に行うことができる。このことは、数多くのスポットライトが使用される舞台公演などで、これらスポットライトのフォーカス調整をする場合に有利となる。さらに、スクリューシャフト２２のフォーカスハンドル２４はスポットのフォーカス位置の微調整のみに使用されるため、スクリュー溝２２１のピッチを細かくすることができ、これにより、スポットライトのフォーカス位置を更に細かく微調整することが可能になる。
【００５１】
また、本実施の形態に示す照明器具においては、スポットライトの投光面径を調整した時のフォーカス位置を表示するためのフォーカス位置表示部３６を、案内部材４０の突出端４０１が突出する底部材１２２の側壁１２２ａの外表面に操作ハンドル３２の移動方向に沿って設けたので、フォーカス位置表示部３６を目視することで、操作ハンドル３２と対向する目盛３６１の位置がスポットライトのフォーカス位置を表示することになり、操作ハンドル３２の位置が電球１８及び反射鏡２０の位置、すなわちスポットライトのフォーカス位置を一目瞭然に表示することができるほか、電球交換の際のフォーカス位置を容易に把握することができる。
【００５２】
特に、電球１８及び反射鏡２０によるフォーカスがフラットな位置（電球１８が投光開口部に近い位置）の場合などでは、そのままの位置で電球の交換をしようとすると、集光レンズと反射鏡との間のスペースが狭くなって、電球の交換がしづらくなるが、操作ハンドル３２により、電球１８及び反射鏡２０の位置を難なく移動でき、電球の交換を容易にする。さらに、フォーカス調整する前の電球１８及び反射鏡２０の位置をフォーカス位置表示部３６の目盛３６１から読み取って覚えておくことができるため、電球交換後の元のフォーカス位置に簡単に復元させることができる。
【００５３】
また、本実施の形態に示す照明器具によれば、ガイドピン２８の案内部材４０が突出する長穴１２２ｂは、長さの異なる複数の遮光板３４ａ〜３４ｅを重ね合わせることで構成される遮光機構３４によって覆われているので、長穴１２２ｂから電球１８の光が漏れるのを防止することができる。
【符号の説明】
【００５４】
１００……照明器具、１２……器具本体、１２２……底部材、１２２ａ……側壁、１４……集光レンズ、１６……移動台、１８……電球、２０……反射鏡、２２……スクリューシャフト、２２１……スクリュー溝、２４……フォーカスハンドル、２６……スライド部材、２８……ガイドピン、３０……コイルばね（付勢部材）、３２……操作ハンドル、３４……遮光機構、３４ａ〜３４ｅ……遮光板、３６……フォーカス位置表示部、３６１……目盛、３８……支持部材、４０……案内部材。
【図１】
2010182452.tif 000003
【図２】
2010182452.tif 000004
【図３】
2010182452.tif 000005
【図４】
2010182452.tif 000006
【図５】
2010182452.tif 000007